(57)【要約】【課題】  回転部分を形成した二層式三角ハンガーに於いて、凹部空間と切り欠きを設ける事で構造と形状を簡易にし、限られた空間に多くの衣服を収納し、三角ハンガーの製造価格を安価にし、利便性に優れた衣料用ハンガーを提供する。【解決手段】ハンガー本体に凹部空間と切り欠きを設け、上方向に回転可能な子ハンガーを該切り欠き部位に形成する事を特徴とする。【選択図】  図  ４
2005323972.tif 000002
【特許請求の範囲】
【請求項１】
衣料用ハンガーに於いて、ハンガーの前部、後部、一構成のうち、後部を本体とし前部を上下回転可能な子ハンガーとした三角ハンガーで、フック（３）を有するハンガー本体（１）の頂部には、子ハンガー（２）を上方向に回転させるために妨げとならないための凹部空間（４）を、更に衣服を掛けた時にハンガー本体（１）と子ハンガー（２）の表面に段差を生じさせないための手段として、子ハンガー（２）の厚みと、衣服の布地の厚みに相当する深さの切り欠き（５）を設け、子ハンガー（２）の形状はハンガー本体中央部よりハンガー本体（１）の肩部先端までは前部構造と後部構造が同形状で前面視重なり、その延長はズボンを掛けるのに適した形状に形成されたズボン軸（１０）の端部にはずれ止めの突起（６）を設け、更に左右いずれかの横部よりズボンを掛け外す構造とするため開口部（７）を設け、子ハンガー（２）の回転作用はハンガー本体頂部の軸（８）と軸穴（９）を用い、ハンガー本体（１）と子ハンガー（２）を軸支接合し、子ハンガー（２）を上下方向に回転させる構造とした、上下回転部分を形成した二層式三角ハンガー。
【発明の詳細な説明】
【技術分野】
【０００１】  この発明は、上下回転部分を形成した二層構造でなる衣料用三角ハンガーに関するものである。
【背景技術】
【０００２】  従来、三角ハンガーは上着、シャツ、ズボンを掛けるのに適した形に形成され、その形状及び構造は用途により左右肩部を形成する上着、シャツ専用のハンガー、又は上着、シャツを掛ける部分とズボンを掛ける部分が一体化された三角ハンガー、或いは左右どちらかの一片を開口させたハンガー、等の他に複雑な構造や形状でなる衣料用ハンガーとして、ズボンを掛ける部分が水平方向や垂直方向に回転可能な多層式構造のハンガーやズボンを掛ける部分を複数段形成したハンガー、等様々な形状や構造の衣料用ハンガーが見受けられる。
例えば、特許文献１（発明の名称「衣紋掛け」）においては、ズボン掛け横棒が前後に揺動するだけでなく左右に旋回もでき、更にズボン掛け横棒を複数段組み合わせる事で、それぞれのズボン掛け横棒に独立して別のズボンを掛けるようにした技術が開示されている。
又、特許文献２（発明の名称「ダブルハンガー」）にあっては、第一ハンガーの平面中央部に突起を設け、この突起に第二ハンガーを着脱自在となるように接続可能とし、上下方向に回転自在なハンガーの技術が示されている。
更に、特許文献３（発明の名称「ハンガー」）では、フックを有するハンガー本体に、ズボン軸の一端を固着したうえで、他の一端を開口させ接続部において軸が水平方向に回転自在になる構造としたハンガーの技術が示されている。【０００３】
【特許文献１】特開平１０−２３９５８
【特許文献２】実開平  ６−３１５８０
【特許文献３】実開平  ５−６８３８１
【発明の開示】
【発明が解決しようとする課題】
【０００４】  しかしながら、上記特許文献１（発明の名称「衣紋掛け」）の技術にあっては、構造や形状を複雑にしたため必然的にハンガーの製造単価が高くなると共に背広、ジャンバー等の上着を掛けてズボンを掛け外す時は、ズボン軸を手前に引き出す事でその目的は達するが、前開きしないシャツを掛けた状態でズボンの掛け外しを行う時は、わずらわしさを感じズボンの種類や色を瞬時に判別できなく、安価で実用性に優れたハンガーを消費者に提供できない、と言った問題点がある。
又、特許文献２（発明の名称「ダブルハンガー」）の技術においては、第一ハンガーに第二ハンガーを接続したときハンガーに多分の厚みが生じ、限られた収納空間により多くの衣服を収納できない。
更に、接続、取り外しを繰り返す事により接続部にゆるみが生じ、第二ハンガーが落下する事も考えられると共に、必要に応じた接続、取り外しの手間も多大であり、一体化されて利便性を求める多層式衣料用ハンガーの機能に適さない。
特許文献３（発明の名称「ハンガー」）の技術においては、ズボンを掛ける軸が水平方向のみに回転自在であるため、特許文献１（発明の名称「衣紋掛け」）と同様に、前開きしないシャツを掛けたときにはズボンの掛け外しに、わずらわしさを感じると共にズボンの種類や色を瞬時に判別できない、等の課題を残していると言える。
通常、クリーニング店で供される針金ハンガーにおいては、その提供はサービスの一環であり、配達時及び商品受け渡し時の一時的な収納手段であり形状、材質は簡易であるため衣服の重量で変形する事もあり見かけも芳しくない。
上記衣料用三角ハンガーおいては、一方で利便性に優れれば他方で構造や形状が複雑になりハンガー本体にも厚みを要し販売価格も高くなる。
更に、前開きしないシャツを掛けた時ズボンの掛け外しにわずらわしさを感じ、ズボンの種類や色も瞬時に判別できなく、衣料収納時には多空間を必要とし衣類の整理点検もしづらく、安価で実用性に優れた衣料用三角ハンガーを消費者に提供する事が困難となる。
本発明は、上記欠点を解決するために発明されたものである。
【課題を解決するための手段】
【０００５】  本発明は、二層に形成したハンガーの前部、後部一構成のうち、後部を本体とし、前部を上下回転可能なハンガー（以下「子ハンガー」と言う）とした三角ハンガーに於いて、本体の頂部に、子ハンガーを上方向に回転させるのに妨げとならないための凹部空間を設ける。
次に子ハンガーの形状は、ハンガー本体中央部より左右肩部の一片がハンガー本体の端部までは同面上で重なり、その延長はズボンを掛けるのに適した形状に形成され、先端部にはずれ止めの突起を設け、更にハンガーの左右いずれかの横部からズボンを挿入させて掛ける構造とするため端部を開口させ、ハンガー本体中央部より先端部までは前部構造と後部構造が同形状で前面視重なるようにして、ハンガー本体と子ハンガーを組み合わせた時に、ハンガー表面に段差を生じさせないための切り欠きを本体の方に設け、この切り欠きの深さは子ハンガーの厚みとハンガー本体に掛けたシャツ等の布地の厚みを考慮したものとする。
上記構造でなるハンガー本体と子ハンガーを、ハンガー本体に形成した軸で接続し、この軸を支点として子ハンガーが上下方向に回転可能な構造とする。
【発明の効果】
【０００６】  本発明による、上下回転部分を形成した二層式三角ハンガーに於いて、その構造を簡易にする事で形状も従来のハンガーと比べ無駄を省いたものとなり、厚みも薄くでき、限られた収納スペースにより多くの衣服が収納でき、点検、整理、確認も安易となる。
又、上記構造、形状にする事により、ハンガー製作費に於いては、類似ハンガーに比べ、製造単価も軽減でき、実用的で利便性に優れた衣料用ハンガーの提供が出来る。
【発明を実施するための最良の形態】
【０００７】  以下、本発明の実施の形態について説明する。
二層に形成した三角ハンガーの前部、後部、一構成のうち後部をハンガー本体とし前部を上下回転可能な子ハンガーとする。
イ、  ハンガー本体（１）の頂部には子ハンガー（２）を上方向に回転させる妨げとならないための凹部空間（４）を設ける。
ハンガー本体（１）と子ハンガー（２）に衣服を収納した際、ハンガー本体（１）に収納した衣服の布地厚によりハンガー本体（１）と子ハンガー（２）の接合部に段差が生じるため、それを防ぐ手段として、ハンガー本体（１）中央部より左右いずれかの一片を、子ハンガー（２）の厚さと布地の厚さにほぼ相当する深さの切り欠き（５）を設ける。
ロ、  子ハンガー（２）の形状及び構造として、ハンガー本体（１）中央部より左右いずれかの肩部の一片がハンガー本体（１）の先端部までは前部形状と後部形状が同形状で前面視重なり、その延長は垂直部分を有した後、ズボンを掛けるのに適した形状に形成されたズボン軸（１０）を水平に延長させ、先端部にはずれ止めの突起（６）を設け、更にズボン掛け外しの際、ハンガー横部よりそれを行う構造とするため、ハンガー本体（１）端部とずれ止め突起（６）の間を開口部（７）とする。
ハ、  上記構成でなるハンガー本体（１）と子ハンガー（２）を、ハンガー本体頂部の軸（８）と軸穴（９）を用いて軸支接合し、子ハンガー（２）は軸を支点として凹部空間（４）により上下方向に回転可能とする。
ニ、  上記構造と形状でなる上下回転部分を形成した二層式三角ハンガーに於いて、その使用にあたっては、衣服を掛ける時は片手でハンガーを持ち、指で子ハンガーを上方向に回転させる事で、ハンガー本体（１）と子ハンガー（２）の間に生じる空間により上着、シャツの掛け外しができ、ズボン掛け外しの際は子ハンガー横の開口部（７）よりそれを行う。
【図面の簡単な説明】
【０００８】
【図１】本発明の正面図
【図２】本発明の左側面図
【図３】本発明のハンガー本体と子ハンガーを分解した状態を示す斜視図
【図４】本発明における子ハンガーの回転状態を示す斜視図
【図５】本発明の使用状態を示す斜視図
【図６】本発明の使用状態を示す斜視図
【符号の説明】
【００１０】  １  ハンガー本体
２  子ハンガー
３  フック
４  凹部空間
５  切り欠き
６  ずれ止め突起
７  開口部
８  軸
９  軸穴
１０  ズボン軸
【図１】
2005323972.tif 000003
【図２】
2005323972.tif 000004
【図３】
2005323972.tif 000005
【図４】
2005323972.tif 000006
【図５】
2005323972.tif 000007
【図６】
2005323972.tif 000008